(57)【要約】      （修正有） 【課題】身体の有害物質である活性酸素を除去するスーパーオキシド消去活性の値であるＳＯＤ値を高めた健康茶を提供する。【解決手段】カメリアシネンシスの葉Ａとアスパラサスリネアリスの葉Ｂとが混合されている。カメリアシネンシスの葉Ａとアスパラサスリネアリスの葉Ｂとに対してタベブイアアベラネダエの内部樹皮Ｃとマグワの葉Ｄとを相対的に小量混合した。【選択図】図１
0003112268.tif 000002
【実用新案登録請求の範囲】
【請求項１】
カメリアシネンシスの葉とアスパラサスリネアリスの葉とが混合された健康茶において、カメリアシネンシスの葉とアスパラサスリネアリスの葉とに対してタベブイアアベラネダエの内部樹皮とマグワの葉とを相対的に小量混合したことを特徴とする健康茶。
【請求項２】
請求項１の健康茶において、カメリアシネンシスの葉は７０〜８０重量％、アスパラサスリネアリスの葉は１５〜２０重量％、タベブイアアベラネダエの内部樹皮は４〜８重量％、マグワの葉は１〜２重量％の混合比からなることを特徴とする健康茶。
【請求項３】
請求項１または２の健康茶において、カメリアシネンシスの葉は完全発酵されたものであることを特徴とする健康茶。
【考案の詳細な説明】
【技術分野】
【０００１】
本考案は、湯水で成分を抽出して飲用することにより健康を増進する健康茶に係る技術分野に属する。
【背景技術】
【０００２】
健康茶は、各種の植物の葉，茎，根等からなる材料を湯水で成分を抽出しやすいように乾燥（発酵させる場合もある），粉砕（小片化）したものである。最近では、カメリアシネンシスの葉とアスパラサスリネアリスの葉とが健康茶の新規な材料として注目され、両者を適当な比率で混合したものが「アフリカ茶」，「ルイボス茶」等と称されて市販されている。
【０００３】
カメリアシネンシスは、アッサム種（インド大葉種）の茶木（茶樹）の原種とされるアフリカ中南部原産のツバキ科の樹木で、身体の代謝の促進や酵素の作用を補助するミネラル（亜鉛，セレン，マンガン，銅等）がバランスよく含まれるとともに、抗酸化作用の働きのあるポリフェノール類の含有量が多いことが特徴である。このカメリアシネンシスの葉を含む健康茶は、肌，身体の老化の防止等に有効であるとされている。
【０００４】
アスパラサスリネアリスは、ルイボスとも称される南アフリカ共和国のセダルバーグ山脈一帯を原産とするマメ科のハーブで、良質のミネラルがバランスよく含まれていることが特徴である。このアスパラサスリネアリスの葉を含む健康茶は、美肌の維持等に有効であるとされている。
【０００５】
さらに、健康茶に限らず健康食品に利用される植物系の新規な材料としては、特開２００４−１８７６００号公報に記載のようなタベブイアアベラネダエの樹皮や特開２００３−３３９３４５号公報に記載の桑の葉が知られている。
【０００６】
タベブイアアベラネダエは、南米アマゾンを原産とするノウゼンカツラ科の樹木で、身体の免疫性を高める成分が含まれていることが特徴である。タベブイアアベラネダエの樹皮（紫イペ）が含まれている健康食品は、ウイルスの撃退や皮膚のシミ，シワの防止等に有効であるとされている。
【０００７】
桑は、東アジアを原産とするクワ科の落葉小高木で、糖分解阻害物質（ＤＮＪ）やカロチン，アミノ酸等が豊富に含まれていることが特徴である。桑の葉が含まれている健康食品は、ダイエットに関連する脂肪増加の抑制や利尿の促進等に有効であるとされている。
【考案の開示】
【考案が解決しようとする課題】
【０００８】
従来のカメリアシネンシスの葉とアスパラサスリネアリスの葉とが混合された健康茶では、身体の有害物質である活性酸素を除去するスーパーオキシド消去活性（ＳＯＤ）があるとされているが、茶としての飲用で活性酸素を除去するには不充分なＳＯＤ値しか得られていないという問題点がある。
【０００９】
本考案は、このような問題点を考慮してなされたもので、ＳＯＤ値を高めた健康茶を提供することを課題とする。
【課題を解決するための手段】
【００１０】
前述の課題を解決するため、本考案に係る健康茶は、実用新案登録請求の範囲の各請求項に記載の手段を採用する。
【００１１】
即ち、請求項１では、カメリアシネンシスの葉とアスパラサスリネアリスの葉とが混合された健康茶において、カメリアシネンシスの葉とアスパラサスリネアリスの葉とに対してタベブイアアベラネダエの内部樹皮とマグワの葉とを相対的に小量混合したことを特徴とする。
【００１２】
この手段では、タベブイアアベラネダエの内部樹皮とマグワの葉とが小量混合されることで、カメリアシネンシスの葉とアスパラサスリネアリスの葉との混合物におけるＳＯＤがより活性化される。
【００１３】
また、請求項２では、請求項１の健康茶において、カメリアシネンシスの葉は７０〜８０重量％、アスパラサスリネアリスの葉は１５〜２０重量％、タベブイアアベラネダエの内部樹皮は４〜８重量％、マグワの葉は１〜２重量％の混合比からなることを特徴とする。
【００１４】
この手段では、混合調整の結果から４種の好適な混合比が設定される。
【００１５】
また、請求項３では、請求項１または２の健康茶において、カメリアシネンシスの葉は完全発酵されたものであることを特徴とする。
【００１６】
この手段では、カメリアシネンシスの葉に含まれている酸化酵素が残存される。
【考案の効果】
【００１７】
本考案に係る健康茶は、タベブイアアベラネダエの内部樹皮とマグワの葉とが小量混合されることで、カメリアシネンシスの葉とアスパラサスリネアリスの葉との混合物におけるＳＯＤがより活性化されるため、ＳＯＤ値が高められる効果がある。
【００１８】
さらに、請求項２として、混合調整の結果から４種の好適な混合比が設定されているため、確実にＳＯＤ値を高めて製茶することができる効果がある。
【００１９】
さらに、請求項３として、カメリアシネンシスの葉に含まれている酸化酵素が残存されるため、ＳＯＤがさらに活性化されてＳＯＤ値がより高められる効果がある。
【考案を実施するための最良の形態】
【００２０】
以下、本考案に係る健康茶を実施するための最良の形態を図面に基づいて説明する。
【００２１】
この形態は、前述のカメリアシネンシスの葉Ａとアスパラサスリネアリスの葉Ｂとに加えて、タベブイアアベラネダエの内部樹皮Ｃとマグワの葉Ｄとを混合する。
【００２２】
カメリアシネンシスの葉Ａについては、ケニア，タンザニア産のものを選択し、現地での採取の後に天日乾燥して自然発酵（発酵補助剤等の添加を行わない）させ、完全発酵（全発酵）されたものをそのまま輸入し製茶工場に搬送する。カメリアシネンシスの葉Ａの採取に際しては、良質のものを目視選別して損傷しないように丁寧に扱う必要から、採取機を使用しない手摘みが採用される。
【００２３】
アスパラサスリネアリスの葉Ｂについては、南アフリカ産のものを選択し、現地での採取の後に天日乾燥して、乾燥されたものをそのまま輸入し製茶工場に搬送する。アスパラサスリネアリスの葉Ｂの採取に際しては、良質のものを目視選別して損傷しないように丁寧に扱う必要から、採取機を使用しない手摘みが採用される。
【００２４】
タベブイアアベラネダエの内部樹皮Ｃについては、ブラジル産のものを選択し、現地での外皮と木質部との間に挟まれた部分のみの採取の後に天日乾燥して、乾燥されたものを輸送しやすいように適当な小片に粉砕して輸入し製茶工場に搬送する。タベブイアアベラネダエの内部樹皮Ｃの採取に際しては、良質のものを目視選別して損傷しないように丁寧に扱う必要から、採取機を使用しない手摘みが採用される。
【００２５】
マグワの葉Ｄについては、日本の熊本県産の桑の１種のものを選択し、好ましくは晩秋の霜に当たったものを採取して天日乾燥して、乾燥されたものを適当な小片に粉砕して製茶工場に搬送する。マグワの葉Ｄの採取に際しては、良質のものを目視選別して損傷しないように丁寧に扱う必要から、採取機を使用しない手摘みが採用される。
【００２６】
製茶工場（図１に鎖線で表示）では、前述の４種Ａ，Ｂ，Ｃ，Ｄについて、それぞれ異物が含まれているか否か等の検品を実施した後、粉砕機で個別に粉砕し、遠赤外線焙煎装置で個別に焙煎（例えば、８４℃で４分間）し、混合釜で所定の混合比で混合する。なお、混合釜での混合の前にも、異物が含まれているか否か等の検品が実施される。
【００２７】
４種Ａ，Ｂ，Ｃ，Ｄの混合比は、配合調整の結果から、カメリアシネンシスの葉Ａが７０〜８０重量％、アスパラサスリネアリスの葉Ｂが１５〜２０重量％、タベブイアアベラネダエの内部樹皮Ｃが４〜８重量％、マグワの葉Ｄが１〜２重量％であることが好ましいことが確認されている。
【００２８】
４種Ａ，Ｂ，Ｃ，Ｄの混合の後には、再度異物（この場合には特に金属片）が含まれているか否か等の検品が実施されて包装（ティーバック，缶詰め，真空パック等）され、包装状態の検品の後製品として市場に提供される。
【００２９】
市場に提供された製品は、電子スピン共鳴法での測定でＳＯＤ値が１７万単位／ｇを超えている。ちなみに、カメリアシネンシスの葉Ａとアスパラサスリネアリスの葉Ｂとの混合物では、同じく電子スピン共鳴法での測定でＳＯＤ値が１４〜１６万単位／ｇ程度にしかならない。
【００３０】
このＳＯＤ値の向上した数値は、湯水で成分を抽出しての飲用で身体の有害物質である活性酸素を有効に除去するにはほぼ充分である。なお、発明者等は、タベブイアアベラネダエの内部樹皮Ｃとマグワの葉Ｄとの小量の混合がＳＯＤ値の向上に関与する原理を完全に把握していないが、タベブイアアベラネダエの内部樹皮Ｃとマグワの葉Ｄとに含まれている何等かの成分がＳＯＤの安定化に寄与するものと予想している。また、カメリアシネンシスの葉Ａの発酵による酸化酵素の残存についても、ＳＯＤの安定化に寄与するものと予想される。
【００３１】
なお、タベブイアアベラネダエの内部樹皮Ｃとマグワの葉Ｇとの混合比を高めても、茶としての旨味が減退するものの、ＳＯＤ値の上昇はみられない。また、カメリアシネンシスの葉Ａの発酵は、発酵茶（紅茶）の風味を増して飲用しやすくする。
【００３２】
さらに、湯水で成分を抽出しての飲用で前述の有効とされる効能が阻害されることもない。
【００３３】
以上、図示した形態の外に、他の植物の葉，茎，根等からなる材料をさらに混合することも可能である。
【産業上の利用可能性】
【００３４】
本考案に係る健康茶は、飲用の外に、成分を抽出した湯水を身体の皮膚に塗る等することで体臭の消臭や皮膚疾患の改善に役立てたり、汚れ物に塗る等することで洗剤の補助剤や消臭剤として役立てることができる。
【図面の簡単な説明】
【００３５】
【図１】本考案に係る健康茶を実施するための最良の形態の製造工程のブロック図である。
【符号の説明】
【００３６】
Ａ          カメリアシネンシスの葉
Ｂ          アスパラサスリネアリスの葉
Ｃ          タベブイアアベラネダエの内部樹皮
Ｄ          マグワの葉
【図１】
0003112268.tif 000003
【手続補正書】
【提出日】平成16年11月1日(2004.11.1)
【手続補正１】
【補正対象書類名】実用新案登録請求の範囲
【補正対象項目名】全文
【補正方法】変更
【補正の内容】
【実用新案登録請求の範囲】
【請求項１】
小片に粉砕したカメリアシネンシスの葉と同じく小片に粉砕したアスパラサスリネアリスの葉とが混合された健康茶において、前記小片に粉砕したカメリアシネンシスの葉と小片に粉砕したアスパラサスリネアリスの葉とに対して小片に粉砕したタベブイアアベラネダエの内部樹皮と小片に粉砕したマグワの葉とを相対的に小量混合したことを特徴とする健康茶。
【請求項２】
請求項１の健康茶において、カメリアシネンシスの葉は７０〜８０重量％、アスパラサスリネアリスの葉は１５〜２０重量％、タベブイアアベラネダエの内部樹皮は４〜８重量％、マグワの葉は１〜２重量％の混合比からなることを特徴とする健康茶。
【請求項３】
請求項１または２の健康茶において、カメリアシネンシスの葉は完全発酵されたものであることを特徴とする健康茶。
【手続補正２】
【補正対象書類名】明細書
【補正対象項目名】００１１
【補正方法】変更
【補正の内容】
【００１１】  即ち、請求項１では、小片に粉砕したカメリアシネンシスの葉と小片に粉砕したアスパラサスリネアリスの葉とが混合された健康茶において、前記小片に粉砕したカメリアシネンシスの葉と小片に粉砕したアスパラサスリネアリスの葉とに対して小片に粉砕したタベブイアアベラネダエの内部樹皮と小片に粉砕したマグワの葉とを相対的に小量混合したことを特徴とする。
【手続補正書】
【提出日】平成17年3月30日(2005.3.30)
【手続補正１】
【補正対象書類名】実用新案登録請求の範囲
【補正対象項目名】全文
【補正方法】変更
【補正の内容】
【実用新案登録請求の範囲】
【請求項１】
小片に粉砕したカメリアシネンシスの葉と同じく小片に粉砕したアスパラサスリネアリスの葉とが混合された健康茶において、カメリアシネンシスの葉とアスパラサスリネアリスの葉とに対して小片に粉砕したタブベイアアベラネダエの内部樹皮と小片に粉砕したマグワの葉とを相対的に小量混合し、これをティーバックに詰めたことを特徴とする健康茶。
【請求項２】
請求項１の健康茶において、カメリアシネンシスの葉は７０〜８０重量％、アスパラサスリネアリスの葉は１５〜２０重量％、タブベイアアベラネダエの内部樹皮は４〜８重量％、マグワの葉は１〜２重量％の混合比からなることを特徴とする健康茶。
【請求項３】
請求項１または２の健康茶において、カメリアシネンシスの葉は完全発酵されたものであることを特徴とする健康茶。